(57)【要約】  本発明は特に（ｉ）１つ又は複数の脂肪酸及びアミノ酸由来の界面活性剤、並びに（ｉｉ）溶媒を含み、ｐＨが３．０〜１１．０である組成物に関する。本発明の文脈では、「脂肪酸及びアミノ酸由来の界面活性剤」という用語は、式（Ｉ）の分子、又はその混合物を示すと理解される。  【化１】2020504777.tif 000004  式中、Ｒ１はＣ８−Ｃ２４アルキル又はアルケニル基であり；Ｒ２は−Ｈ、Ｃ１−Ｃ４アルキル基、フェニル基又は−ＣＨ２ＣＯＯＭであり；Ｒ３は−Ｃ−Ｒ４２であり；ｎは１〜４であり；Ｒ４はＨ、Ｃ１−Ｃ６アルキル基又はＣ１−Ｃ６アルキルエステルであり；ＭはＨ又はカチオンである。
2020504777.tif 000002
【特許請求の範囲】
【請求項１】
（ｉ）ココイルタウリンカリウム、ココイルメチルタウリンカリウム、カプロイルメチルタウリンナトリウム、ココイルタウリンナトリウム、ラウロイルタウリンナトリウム、ココイルメチルタウリンナトリウム、ラウロイルメチルタウリンナトリウム、ミリストイルメチルタウリンナトリウム、オレオイルメチルタウリンナトリウム、パルミトイルメチルタウリンナトリウム、ステアロイルメチルタウリンナトリウム、カプリロイルグルタミン酸二カリウム、ウンデシレノイルグルタミン酸二カリウム、カプリロイルグルタミン酸二ナトリウム、ココイルグルタミン酸二ナトリウム、ラウロイルグルタミン酸二ナトリウム、ステアロイルグルタミン酸二ナトリウム、ウンデシレノイルグルタミン酸二ナトリウム、カプリロイルグルタミン酸カリウム、ココイルグルタミン酸カリウム、ラウロイルグルタミン酸カリウム、ミリストイルグルタミン酸カリウム、ステアロイルグルタミン酸カリウム、ウンデシレノイルグルタミン酸カリウム、カプリロイルグルタミン酸ナトリウム、ココイルグルタミン酸ナトリウム、ラウロイルグルタミン酸ナトリウム、ミリストイルグルタミン酸ナトリウム、オリーブ油脂肪酸グルタミン酸ナトリウム、パルミトイルグルタミン酸ナトリウム、ステアロイルグルタミン酸ナトリウム、ウンデシレノイルグルタミン酸ナトリウム、ココイルメチル−βｌ−アラニン、ラウロイルｌ−アラニン、ラウロイルメチル−β−アラニン、ミリストイル−β−アラニン、ラウロイルメチル−β−アラニンカリウム、ココイルアラニンナトリウム、ココイルメチル−β−アラニンナトリウム、ミリストイルメチル−β−アラニンナトリウムパルミトイルグリシン、ラウロイルグリシンナトリウム、ココイルグリシンナトリウム、ミリストイルグリシンナトリウム、ラウロイルグリシンカリウム、ココイルグリシンカリウム、ラウロイルサルコシンカリウム、ココイルサルコシンカリウム、ココイルサルコシンナトリウム、ラウロイルサルコシンナトリウム、ミリストイルサルコシンナトリウム、パルミトイルサルコシンナトリウム及びその混合物からなる群から選択される、１つ又は複数の脂肪酸及びアミノ酸由来の界面活性剤、（ｉｉ）溶媒、並びに（ｉｉｉ）エトキシ化トリグリセリドを含み、ｐＨが３．０〜１１．０である、専門的用途のすぐに使える液体洗剤。
【請求項２】
前記エトキシ化トリグリセリドが豚脂、獣脂、落花生油、バターオイル、綿実油、亜麻仁油、オリーブ油、パーム油、グレープシード油、魚油、大豆油、ヒマシ油、菜種油、コプラ油及びヤシ油からなる群から選択されるトリグリセリド由来であることを特徴とする、請求項１に記載の専門的用途のすぐに使える液体洗剤。
【請求項３】
前記エトキシ化トリグリセリドがヒマシ油由来であることを特徴とする、請求項１又は３に記載の専門的用途のすぐに使える液体洗剤。
【請求項４】
酵素を含まないことを特徴とする、請求項１から４のいずれか１項に記載の専門的用途のすぐに使える液体洗剤。
【請求項５】
（ｉ）が前記組成物の総質量に対して０．００５から５質量パーセントの量で含まれることを特徴とする、請求項１から５のいずれか１項に記載の専門的用途のすぐに使える液体洗剤。
【請求項６】
（ｉｉｉ）が前記洗剤の総質量に対して０．００５から１０質量パーセントの量で含まれることを特徴とする、請求項１から６のいずれか１項に記載の専門的用途のすぐに使える液体洗剤。
【発明の詳細な説明】
【技術分野】
【０００１】
本発明は洗剤製品の分野に関する。より具体的には、本発明は産業用洗剤の分野、特に飼料畜産農業の領域における産業用洗剤に関する。本発明は特にすぐに使える又は濃縮組成物に関し、高温及び比較的極端でないｐＨで高い安定度を有する。
【背景技術】
【０００２】
産業界で用いられる洗剤組成物は、ユーザ及び環境に対する有効性及び毒性の点で、相反する目的に対処する必要があることもある。
【０００３】
汚染に関して優れた結果を得るため、極端なｐＨを有する（具体的に苛性ソーダに基づく）高い腐食性の製品を用いることが長い間可能であった。しかし、該製品は廃液に関連する環境基準に次第に適合しなくなっており、その使用者を危険にさらしている。
【０００４】
先行技術の組成物を置き換えるため、タンパク質系の汚染を分解することができる酵素溶液が提案されている。該組成物は当業者に周知であり、現在洗濯洗剤など、家庭用製品の分野に用いられている。
【０００５】
しかし、すべてのタンパク質のように、酵素の安定度は、産業用洗剤の使用条件にあまり適合しない。地球のある地域に見出されるものなど、酵素は特に高温に非常に敏感であり、安定性が著しく低下するため、使用期間を低下させる。さらに、酵素は呼吸器感作性を有し、ユーザを無視できないリスクにさらす。
【０００６】
従って、必ずしも酵素を含まず、わずかに腐食性であるが、専門的な産業分野、畜産農業、コミュニティ及び家庭での使用において、タンパク質系汚染を処理することができる洗剤製品の必要性がある。
【０００７】
さらに、該洗剤製品は環境を尊重しなければならず、前処理を行わずに廃水と共に処分できなければならない。
【発明の概要】
【発明が解決しようとする課題】
【０００８】
従って、本発明は、現在利用できる洗剤組成物に相当する洗剤効果、極端でないｐＨを有し、安定性が増したすぐに使える又は濃縮洗剤組成物を提案する。
【課題を解決するための手段】
【０００９】
従って、本発明は特に（ｉ）１つ又は複数の脂肪酸及びアミノ酸由来の界面活性剤、並びに（ｉｉ）溶媒を含み、ｐＨが３．０〜１１．０である組成物に関する。
【００１０】
本発明の文脈において、「脂肪酸及びアミノ酸由来の界面活性剤」という用語は、化１の分子、又はその混合物を示すと理解される。
【００１１】
【化１】
2020504777.tif 000003
【００１２】
式中、Ｒ１はＣ８−Ｃ２４アルキル又はアルケニル基であり；Ｒ２は−Ｈ、Ｃ１−Ｃ４アルキル基、フェニル基又は−ＣＨ２ＣＯＯＭであり；Ｒ３は−Ｃ−Ｒ４２であり；ｎは１〜４であり；Ｒ４はＨ、Ｃ１−Ｃ６アルキル基又はＣ１−Ｃ６アルキルエステルであり；ＭはＨ又はカチオンである。
【００１３】
本発明の文脈では、「すぐに使える（ｒｅａｄｙ−ｔｏ−ｕｓｅ）」という用語は、該組成物を洗浄のためにこの状態で使用することができることを意味する。
【００１４】
本発明の好ましい実施形態において、脂肪酸及びアミノ酸由来の界面活性剤は、タウリン塩、グルタミン酸塩、アラニン、アラニン塩、サルコシン塩、アスパラギン酸塩及びグリシンに基づく界面活性剤からなる群から選択される。
【００１５】
本発明の非常に好ましい実施形態によれば、該脂肪酸及びアミノ酸由来の界面活性剤は、オレオイルサルコシンナトリウムではない。
【００１６】
本発明の好ましい実施形態によれば、該脂肪酸及びアミノ酸由来の界面活性剤は、ココイルタウリンカリウム、ココイルメチルタウリンカリウム、カプロイルメチルタウリンナトリウム、ココイルタウリンナトリウム、ラウロイルタウリンナトリウム、ココイルメチルタウリンナトリウム、ラウロイルメチルタウリンナトリウム、ミリストイルメチルタウリンナトリウム、オレオイルメチルタウリンナトリウム、パルミトイルメチルタウリンナトリウム、ステアロイルメチルタウリンナトリウム、カプリロイルグルタミン酸二カリウム、ウンデシレノイルグルタミン酸二カリウム、カプリロイルグルタミン酸二ナトリウム、ココイルグルタミン酸二ナトリウム、ラウロイルグルタミン酸二ナトリウム、ステアロイルグルタミン酸二ナトリウム、ウンデシレノイルグルタミン酸二ナトリウム、カプリロイルグルタミン酸カリウム、ココイルグルタミン酸カリウム、ラウロイルグルタミン酸カリウム、ミリストイルグルタミン酸カリウム、ステアロイルグルタミン酸カリウム、ウンデシレノイルグルタミン酸カリウム、カプリロイルグルタミン酸ナトリウム、ココイルグルタミン酸ナトリウム、ラウロイルグルタミン酸ナトリウム、ミリストイルグルタミン酸ナトリウム、オリーブ油脂肪酸グルタミン酸ナトリウム、パルミトイルグルタミン酸ナトリウム、ステアロイルグルタミン酸ナトリウム、ウンデシレノイルグルタミン酸ナトリウム、ココイルメチル−βｌ−アラニン、ラウロイルｌ−アラニン、ラウロイルメチル−β−アラニン、ミリストイル−β−アラニン、ラウロイルメチルＧアラニンカリウム、ココイルアラニンナトリウム、ココイルメチル−β−アラニンナトリウム、ミリストイルメチル−β−アラニンナトリウムパルミトイルグリシン、ラウロイルグリシンナトリウム、ココイルグリシンナトリウム、ミリストイルグリシンナトリウム、ラウロイルグリシンカリウム、ココイルグリシンカリウム、ラウロイルサルコシンカリウム、ココイルサルコシンカリウム、ココイルサルコシンナトリウム、ラウロイルサルコシンナトリウム、ミリストイルサルコシンナトリウム、パルミトイルサルコシンナトリウム及びその混合物からなる群から選択される。
【００１７】
本発明の好ましい実施形態によれば、該脂肪酸及びアミノ酸由来の界面活性剤はラウロイルサルコシンナトリウムである。
【００１８】
本発明の好ましい実施形態において、該溶媒（ｉｉ）はグリセロール、モノ−プロピレングリコール及び水からなる群から選択される。好ましい実施形態によれば、該溶媒（ｉｉ）は水である。本発明の好ましい実施形態によれば、該組成物は、（ｉｉｉ）エトキシ化トリグリセリドも含む。
【００１９】
この最後の実施形態は、飼料に対する２種類の汚染、つまりタンパク質及び脂質に効果的な組成物を提案している。
【００２０】
本発明の文脈では、「エトキシ化トリグリセリド」という用語は、少なくとも１つ、好ましくは２つ、より好ましくは３つの脂肪酸の炭素鎖がエトキシル化反応を受けているトリグリセリドを指す。本発明の好ましい実施形態によれば、該エトキシ化トリグリセリドは、動物又は植物性のトリグリセリドからなる群、さらにより好ましくは豚脂、獣脂、落花生油、バターオイル、綿実油、亜麻仁油、オリーブ油、パーム油、グレープシード油、魚油、大豆油、ヒマシ油、菜種油、コプラ油及びヤシ油からなる群から選択されるトリグリセリドに由来する。本発明の文脈では、由来するという用語は、該エトキシ化トリグリセリドが、列挙したトリグリセリドのエトキシル化反応により得られることを意味する。
【００２１】
本発明の非常に好ましい実施形態によれば、該エトキシ化トリグリセリドはエトキシ化ヒマシ油などのヒマシ油に由来する。
【００２２】
本発明の好ましい実施形態によれば、該エトキシ化トリグリセリドはＣ８−Ｃ３０炭素鎖の脂肪酸を含む。
【００２３】
本発明の好ましい実施形態によれば、該組成物は酵素を含まない。
【００２４】
本発明の文脈では、「酵素を含まない」という用語は、特に本発明にかかるすぐに使える組成物が０．１％未満、好ましくは０．０４％未満、より好ましくは０．０１％未満の酵素を含むことを意味する。本発明は、汚染状態の微量酵素を含むが、顕著な活性を示さない組成物は排除しない。
【００２５】
本発明の好ましい実施形態において、該すぐに使える組成物は１つ又は複数の界面活性剤、１つ又は複数の安定剤、１つ又は複数のレオロジー剤、及び１つ又は複数の防腐剤も含む。
【００２６】
本発明のさらにより好ましい実施形態において、該界面活性剤はコカミドプロピルベタイン（ＣＡＰＢ）である。
【００２７】
本発明の好ましい実施形態によれば、これら他の成分は該すぐに使える組成物の総質量に対して、０．０２から３０質量パーセントの量である。
【００２８】
本発明の好ましい実施形態において、「含む」という用語は、本発明にかかる組成物が任意の他の成分を除いて、挙げられた成分を含むことを意味する。
【００２９】
本発明の好ましい実施形態によれば、（ｉ）の含有量は該すぐに使える組成物の総質量に対して、０．００５から５質量パーセントの量である。
【００３０】
本発明の好ましい実施形態によれば、（ｉｉ）の含有量は、該すぐに使える組成物の総質量に対して、７０から９９．９７質量パーセントの量である。
【００３１】
本発明の好ましい実施形態によれば、（ｉｉｉ）の含有量は、該すぐに使える組成物の総質量に対して、０．００５から１０質量パーセントの量である。
【００３２】
本発明の好ましい実施形態によれば、成分（ｉ）及び（ｉｉｉ）は、該すぐに使える組成物の総質量に対して、０．０１から１５質量パーセントの量に相当する。
【００３３】
本発明の好ましい実施形態によれば、成分（ｉ）、（ｉｉ）及び（ｉｉｉ）は、該すぐに使える組成物の総質量に対して、７０から９９．９８質量パーセントの量に相当する。
【００３４】
好ましい実施形態によれば、本発明にかかる組成物は専門的用途の液体洗剤である。
【００３５】
また、本発明は、上述の本発明にかかるすぐに使える組成物より、（ｉ）及び（ｉｉｉ）の濃度が高い濃縮組成物に関する。好ましい実施形態によれば、該濃縮組成物は、本発明にかかるすぐに使える組成物より、（ｉ）及び（ｉｉｉ）の濃度が２倍、より好ましくは１０倍、さらにより好ましくは２０倍高い。
【発明を実施するための形態】
【００３６】
以下に提示する配合は、本発明にかかる洗剤組成物の好ましい例を示すが、これらはいかなる意味でも限定的ではない。
【００３７】
組成物Ａ（１％希釈用濃縮組成物）：
・ラウロイルサルコシンナトリウム：２％
・エトキシ化ヒマシ油：３％
・他の界面活性剤：２１．５％
・他の賦形剤：２．５％
・水：７１％
組成物Ｂ（すぐに使える組成物）：
・ラウロイルサルコシンナトリウム：０．０２％
・エトキシ化ヒマシ油：０．０３％
・他の界面活性剤：０．２１５％
・他の賦形剤：０．０２５％
・水：９９．７１％
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
（ｉ）ココイルタウリンカリウム、ココイルメチルタウリンカリウム、カプロイルメチルタウリンナトリウム、ココイルタウリンナトリウム、ラウロイルタウリンナトリウム、ココイルメチルタウリンナトリウム、ラウロイルメチルタウリンナトリウム、ミリストイルメチルタウリンナトリウム、オレオイルメチルタウリンナトリウム、パルミトイルメチルタウリンナトリウム、ステアロイルメチルタウリンナトリウム、カプリロイルグルタミン酸二カリウム、ウンデシレノイルグルタミン酸二カリウム、カプリロイルグルタミン酸二ナトリウム、ココイルグルタミン酸二ナトリウム、ラウロイルグルタミン酸二ナトリウム、ステアロイルグルタミン酸二ナトリウム、ウンデシレノイルグルタミン酸二ナトリウム、カプリロイルグルタミン酸カリウム、ココイルグルタミン酸カリウム、ラウロイルグルタミン酸カリウム、ミリストイルグルタミン酸カリウム、ステアロイルグルタミン酸カリウム、ウンデシレノイルグルタミン酸カリウム、カプリロイルグルタミン酸ナトリウム、ココイルグルタミン酸ナトリウム、ラウロイルグルタミン酸ナトリウム、ミリストイルグルタミン酸ナトリウム、オリーブ油脂肪酸グルタミン酸ナトリウム、パルミトイルグルタミン酸ナトリウム、ステアロイルグルタミン酸ナトリウム、ウンデシレノイルグルタミン酸ナトリウム、ココイルメチル−βｌ−アラニン、ラウロイルｌ−アラニン、ラウロイルメチル−β−アラニン、ミリストイル−β−アラニン、ラウロイルメチルＧアラニンカリウム、ココイルアラニンナトリウム、ココイルメチル−β−アラニンナトリウム、ミリストイルメチル−β−アラニンナトリウムパルミトイルグリシン、ラウロイルグリシンナトリウム、ココイルグリシンナトリウム、ミリストイルグリシンナトリウム、ラウロイルグリシンカリウム、ココイルグリシンカリウム、ラウロイルサルコシンカリウム、ココイルサルコシンカリウム、ココイルサルコシンナトリウム、ラウロイルサルコシンナトリウム、ミリストイルサルコシンナトリウム、パルミトイルサルコシンナトリウム及びその混合物からなる群から選択される、１つ又は複数の脂肪酸及びアミノ酸由来の界面活性剤、（ｉｉ）溶媒、並びに（ｉｉｉ）ヒマシ油由来のエトキシ化トリグリセリドを含み、ｐＨが３．０〜１１．０である、専門的用途の液体洗剤。
【請求項２】
酵素を含まないことを特徴とする、請求項１に記載の専門的用途の液体洗剤。
【請求項３】
（ｉ）が前記組成物の総質量に対して０．００５から５質量パーセントの量で含まれることを特徴とする、請求項１又は２に記載の専門的用途の液体洗剤。
【請求項４】
（ｉｉｉ）が前記洗剤の総質量に対して０．００５から１０質量パーセントの量で含まれることを特徴とする、請求項１から３のいずれか１項に記載の専門的用途の液体洗剤。
【国際調査報告】
2020504777.tif 000005
2020504777.tif 000006
2020504777.tif 000007
2020504777.tif 000008